(57)【特許請求の範囲】
【請求項１】
架線や配電製品を収納すると共に下方に向けて開く絶縁カバーを、開閉するための絶縁カバー開閉装置であって、
前記絶縁カバーの上部に引き掛けることができる引き掛け機構を備えた２つのアーム部と、前記アーム部の基部が取り付けられた台座と、前記台座のアーム部が取り付けられた側と反対側に設けられて、間接活線工具の連結部と連結することが可能な連結部とで少なくとも構成され、
前記引き掛け機構は、前記アーム部に連結された第１の引き掛け部と、前記第１の引き掛け部とは別部材の第２の引き掛け部と、前記第１の引き掛け部の一方端側の部位と前記第２の引き掛け部の一方端側の部位とを連結させる連結部と、前記第１の引き掛け部の他方端と前記第２の引き掛け部の他方端とを近接させる方向に付勢した弾性体とを有し、
前記アーム部は、前記引き掛け機構を前記台座に対し遠近する方向にその全長を伸縮させることができることを特徴とする絶縁カバー開閉装置。
【請求項２】
前記絶縁カバーの下部に設けた連結手段を外すための爪部を有する突出片が前記台座の前記アーム部が取り付けられた側と同じ側に取り付けられていることを特徴とする請求項１に記載の絶縁カバー開閉装置。
【請求項３】
前記アーム部は、前記台座に取り付けられると共に前記台座の前記アーム部が取り付けられた側とは反対側に開口した孔部を有する筒状部と、前記引き掛け機構の第１の引き掛け部と連結されると共に前記筒状部の孔部に挿入され、前記筒状部の開口から出入りする出入部と、前記開口部内に収納されて、前記出入部を前記筒状部内に入れる方向に付勢する弾性体とを有することを特徴とする請求項１又は請求項２に記載の絶縁カバー開閉装置。
【発明の詳細な説明】
【技術分野】
【０００１】
この発明は、引下線・その他の電線等の架線又は架線と架線同士を接続するコネクタ等の配電製品とを収容する絶縁カバーを開閉する間接活線作業で用いられる先端工具たる絶縁カバー開閉装置に関する。
【背景技術】
【０００２】
ジャンパスリーブカバー・その他のスリーブカバー等の所定の絶縁カバーを閉じる間接活線作業で、例えば特許文献１の図４から図９に示されるカバー押さえ装置が先端工具として用いられる。このカバー押さえ装置は、特許文献１では、１つの幅の細い板状のカバー押さえ部と、菊座アダプタと、共用操作棒等の間接活線工具のアタッチメント本体に接続するための接続アダプタとから構成されている。
【０００３】
そして、カバー押さえ部は、特許文献１の特に図４及び図５に示されるように、略逆Ｕ字形状の頂部位と、この頂部部位の端から下方に且つ対称になるように徐々に拡がりつつ延びる一対の拡がり部位とで構成されている。
【０００４】
そして、このような構成のカバー押さえ装置とすることにより、特許文献１の図１５及び図１６に示されるようなジャンパスリーブカバー等の側面に突出部がない絶縁カバーでは、絶縁カバーの架線に沿った方向の中央部位の外面を押さえ部でガタツキなく挟んでカバー押さえ装置を絶縁カバーに取り付けた後、絶縁カバーが取り付けられたままカバー押さえ装置を架線に接近させて絶縁カバーを架線に乗せ、更に、カバー押さえ部の拡がり部位を利用して絶縁カバーの側面を押して徐々に閉じてゆき、絶縁カバーの下端部位同士が当接した状態とする。最後に、絶縁カバーの下端に設けた雄型ホックと雌型ホックとを絶縁ヤットコ等で連結することにより、絶縁カバーの閉状態が固定される。
【先行技術文献】
【特許文献】
【０００５】
【特許文献１】特開２０１０−４６５７号公報
【発明の概要】
【発明が解決しようとする課題】
【０００６】
もっとも、特許文献１の図１１に示されるような高圧引下線用コネクタカバーの外形状では、架線に沿った方向の中央に側方に突出した突出部が妨げとなって、カバー押さえ装置の押さえ部で、絶縁カバーの架線に沿った方向の中央部位の外面をガタツキなく確実に挟持することができない。このため、前記コネクタカバーを架線に接近させる際に特許文献１のカバー押さえ装置を用いたのでは、前記コネクタカバーが落下するおそれがある。従って、特許文献１に示される押さえ部を有するカバー押さえ装置では、引下線用コネクタカバー等の架線に沿った方向の中央に側方に突出した突出部を有する絶縁カバーについては、架線に接近させて架線に乗せる作業は絶縁ヤットコ等で行い、カバー押さえ装置はカバーを押さえこむときに用いるものとなってしまうことが考えられる。
【０００７】
その一方で、ジャンパスリーブカバー等の側面に突出部がない絶縁カバーでも、カバー押さえ装置の押さえ部で、絶縁カバーの架線に沿った方向の中央からずれた位置にて挟持すると、カバー押さえ装置に取り付けられた絶縁カバーのバランスが不安定となり、絶縁カバーが取り付けられたままカバー押さえ装置を架線まで接近させるときに、絶縁カバーがカバー押さえ装置から落下するおそれがある。
【０００８】
そこで、本発明は、架線に装着される複数の種類の絶縁カバーに対応することが可能で、安定した状態で絶縁カバーを挟持して絶縁カバーの開閉操作を簡易に行うことができる絶縁カバー開閉装置を提供することを目的とする。
【課題を解決するための手段】
【０００９】
この発明に係る絶縁カバー開閉装置は、架線や配電製品を収納すると共に下方に向けて開く絶縁カバーを、開閉するための絶縁カバー開閉装置であって、前記絶縁カバーの上部に引き掛けることができる引き掛け機構を備えた２つのアーム部と、前記アーム部の基部が取り付けられた台座と、前記台座のアーム部が取り付けられた側と反対側に設けられて、間接活線工具の連結部と連結することが可能な連結部とで少なくとも構成され、前記引き掛け機構は、前記アーム部に連結された第１の引き掛け部と、前記第１の引き掛け部とは別部材の第２の引き掛け部と、前記第１の引き掛け部の一方端側の部位と前記第２の引き掛け部の一方端側の部位とを連結させる連結部と、前記第１の引き掛け部の他方端と前記第２の引き掛け部の他方端とを近接させる方向に付勢した弾性体とを有し、前記アーム部は、前記引き掛け機構を前記台座に対し遠近する方向にその全長を伸縮させることができることを特徴とする（請求項１）。ここで、架線は、例えば引下線、高圧配電線等である。配電製品は、例えば架線と架線とを連結するコネクタ等である。絶縁カバーは、例えば各種スリーブカバー、引下線用コネクタカバー等である。弾性体は、例えばコイルバネや板バネ等である。間接活線工具は、例えば共用操作棒等である。
【００１０】
これにより、絶縁カバーを架線や配電製品に取り付ける場合には、台座の連結部に間接活線工具の連結部を連結した状態で、引き掛け機構の一対の引き掛け部の双方を下方が開いた状態の絶縁カバーの上部に引き掛けて、弾性体の付勢力を利用して引き掛け部で絶縁カバーを挟持することで、絶縁カバーに絶縁カバー開閉装置を取り付ける工程と、絶縁カバー開閉装置を架線の上方まで移動させて、下方が開いた絶縁カバーを架線に乗せる工程と、絶縁カバー開閉装置を引き下げて２つの引き掛け部で絶縁カバーの２つの部材を押して、これら絶縁カバーの２つの部材の下側を閉じる工程を経ることで、絶縁カバーについて架線や配電製品を収容しつつ閉じることができ、絶縁カバーを架線や配電製品に取り付けることが可能である。
【００１１】
また、この発明に係る絶縁カバー開閉装置は、前記絶縁カバーの下部に設けた連結手段を外すための爪部を有する突出片が前記台座の前記アーム部が取り付けられた側と同じ側に取り付けられていることを特徴としている（請求項２）。そして、前記アーム部は、前記台座に取り付けられると共に前記台座の前記アーム部が取り付けられた側とは反対側に開口した孔部を有する筒状部と、前記引き掛け機構の第１の引き掛け部と連結されると共に前記筒状部の孔部に挿入され、前記筒状部の開口から出入りする出入部と、前記開口部内に収納されて、前記出入部を前記筒状部内に入れる方向に付勢する弾性体とを有することを特徴としている（請求項３）。ここで、絶縁カバーの連結手段は、例えば、絶縁カバーの一方の部材の下部に設けられた突出部に形成された雄型のホックと、絶縁カバーの他方の部材の下部に設けられた突出部に形成され、前記雄型ホックと係合可能な雌型のホックである。アーム部の弾性体は、例えば一端が筒状部の孔の底面に連結され乃至は接し、他方が挿入部の筒状部への挿入側の面に連結され乃至は接したコイルバネ等である。
【００１２】
これにより、絶縁カバーを架線や配電製品から取り外す場合には、台座の連結部に間接活線工具の連結部を連結した状態で、引き掛け機構の一対の引き掛け部の双方を架線に取り付けられて閉じた状態の絶縁カバーの上部に引き掛ける工程と、間接活線工具を下方に移動させることにより、アーム部を伸長させて、台座の位置を下方に下げ、爪部を絶縁カバーの連結手段よりも下方に配置させる工程と、爪部を用いて絶縁カバーの連結手段による連結を解除し、絶縁カバーの下方が開いた状態とする工程と、間接活線工具を動かして、絶縁カバーの開いた部位から架線や配電製品を取り出す工程を経ることで、絶縁カバーを架線や配電製品から取り外すことが可能である。
【発明の効果】
【００１３】
以上のように、この発明の絶縁カバー開閉装置は、２つの引き掛け機構が間隔を空けて設けられているため、架線に沿った方向の中央に側方に突出した突出部を有する絶縁カバーにおいては、突出部を避けるかたちで絶縁カバーの上部に引き掛け機構を引き掛けることができるので、架線に沿った方向の中央に側方に突出した突出部を有する絶縁カバーを架線や配電製品に取り付け、或いは架線に沿った方向の中央に側方に突出した突出部を有する絶縁カバーを架線や配電製品から取り外す際に、絶縁カバー開閉装置の引き掛け部で絶縁カバーを確実に挟んで保持することが可能である。
【００１４】
また、この発明によれば、絶縁カバー開閉装置は、引き掛け機構を２つ有するので、絶縁カバーの上部に引き掛け機構を引き掛けるときに２点で引き掛けることができ、絶縁カバーの上部を引き掛け部で安定した状態にて挟持することができることから、絶縁カバー開閉装置に取り付けられた絶縁カバーのバランスが不安定のために絶縁カバーが絶縁カバー開閉装置から外れて落下してしまうことを抑制することが可能となる。
【図面の簡単な説明】
【００１５】
【図１】図１は、この発明に係る絶縁カバー開閉装置の全体構成を示す斜視図である。
【図２】図２は、上記絶縁カバー開閉装置の全体構成を示す側面図である。
【図３】図３は、上記絶縁カバー開閉装置の引き掛け部を備えたアーム部の構成を示す説明図であり、図３（ａ）は引き掛け部を備えたアーム部の斜視図、図３（ｂ）は、引き掛け部の連結部を構成する２つの軸受けホルダ部と軸棒、並びに引き掛け部を構成するコイルバネの各構成を示した説明図である。
【図４】図４は、引下線用コネクタカバーに上記絶縁カバー開閉装置の引き掛け部を引き掛けた状態を示す説明図であり、図４（ａ）は、絶縁カバー開閉装置の引き掛け部が引き掛けられた引下線用コネクタカバーの正面図、図４（ｂ）は、絶縁カバー開閉装置の引き掛け部が引き掛けられた引下線用コネクタカバーの側面図である。
【図５】図５は、スリーブカバーに上記絶縁カバー開閉装置の引き掛け部を引き掛けた状態を示す説明図であり、図５（ａ）は、絶縁カバー開閉装置の引き掛け部が引き掛けられたスリーブカバーの正面図、図５（ｂ）は、絶縁カバー開閉装置の引き掛け部が引き掛けられたスリーブカバーの側面図である。
【発明を実施するための形態】
【００１６】
以下、この発明の実施形態を図面に基づいて説明する。
【００１７】
図１及び図２において、この発明に係る絶縁カバー開閉装置１の構成の一例が示されている。絶縁カバー開閉装置１は、後述する所定の絶縁カバー１００の上部に引き掛けることができる引き掛け機構２をそれぞれ備えた２つのアーム部３、４と、アーム部３、４の基台が取り付けられた台座５と、台座５のアーム部３、４が取り付けられた側とは反対側に設けられて、図４（ｂ）、図５（ｂ）に示される共用操作棒３００の連結部と連結することが可能な連結部６とを有している。そして、絶縁カバー開閉装置１は、この実施形態では、絶縁カバー１００のホック部１０２を外すための先端部９を有する突出片７、８が設けられている。尚、共用操作棒３００は、公知のものである。
【００１８】
各引き掛け機構２は、図１から図３に示されるように、引き掛け部２１と、引き掛け部２２と、引き掛け部２１と引き掛け部２２とを引き掛け部２１が回転可能に連結する連結部２３と、コイルバネ２４とを有しており、絶縁カバー１００を引き掛け部２１と引き掛け部２２とで外側から押さえつけて挟むためのものである。
【００１９】
引き掛け２２は、特に図３（ａ）に示されるように、肉厚が薄く相対的に長い平板状をなしていると共に、その一方端がアーム部３、４に一端が連結され、他方端が連結部２３に連結されて不動のものとなっている。そして、アーム部３、４を一の辺、引き掛け部２２を他の辺とした場合の角部の角度は、図４（ｂ）、図５（ｂ）に示されるように、絶縁カバー１００の上部のうち絶縁カバー１００の２つの構成部材１００ａ、１００ｂを開閉可能に連結するヒンジ部１０３の上側に連結部２３を配置したときに構成部材１００ｂの上面に引き掛け部２２が確実に接することが可能な角度をなしている。そして、引き掛け部２２には、少なくともコイルバネ２４の一方の端部２４ａを差し込むことが可能な開口部が形成されている。
【００２０】
引き掛け部２１は、特に図３（ａ）に示されるように、肉厚が薄く相対的に長い平板状をなしていると共に、その一方端が自由であるが他方端が連結部２３に連結されて、連結部２３を回転中心として双方向に回転可能となっている。そして、引き掛け部２１にも、少なくともコイルバネ２４の他方の端部２４ｂを差し込むことが可能な開口部が形成されている。尚、引き掛け部２１は、図２に示されるように、引き掛け部２２と同じ傾きとなる位置（１）まで回転することができるのみならず、引き掛け部２２よりも傾きが浅くなる位置（２）まで回転することができる。
【００２１】
連結部２３は、この実施形態では、特に図３（ｂ）に示されるように、軸棒２３ｃと、この軸棒２３ｃを当該軸棒２３ｃが回転自在なかたちで収納・保持する軸受けホルダ部２３ａ、２３ｂとを有して構成されている。軸受けホルダ部２３ａは、引き掛け部２１の一方端に一体化されており、軸受けホルダ部２３ｂ側に開口した凹部と、軸棒２３ｃが軸支される通孔とが形成されていると共に、凹部は引き掛け部２１のコイルバネ２４の端部２４ｂが差し込まれる開口部と連通している。また、軸受けホルダ部２３ｂは、引き掛け部２２の一方端に一体化されており、軸受けホルダ部２３ａ側に開口した凹部と、軸棒２３ｃが軸支される通孔とが形成されていると共に、凹部は引き掛け部２２のコイルバネ２４の端部２４ａが差し込まれる開口部と連通している。軸棒２３ｃは、円柱状の棒体であってコイルバネ２４内に挿入可能となっている。
【００２２】
コイルバネ２４は、特に図３（ｂ）に示されるように、螺旋状に巻回された巻回部分２４ｃと、この巻回部分２４ｃから外方に突出した端部２４ａ、２４ｂとで構成されている。そして、コイルバネ２４は、図３（ａ）に示されるように、端部２４ａが引き掛け部２２に差し込まれ、端部２４ｂが引き掛け部２１に差し込まれることで、引き掛け部２１の自由側の端部が引き掛け部２２に近接する方向（図３（ａ）の白抜き矢印方向）に付勢するものとなっている。
【００２３】
アーム部３、４は、引き掛け機構２を下方から支持すると共に引き掛け機構２と突出片７、８の先端部９との間隔を調整するためのもので、各アーム部３、４は、図１及び図３に示されるように、筒状部３１、４１と、出入部３２、４２と、コイルバネ３３、４３とで構成されている。
【００２４】
筒状部３１、４１は台座５に固定されていると共に上方に開口した有底の孔で軸方向から見た開口形状が四角形（正方形）状を成す孔部３１ａ、４１ａを有している。また、出入部３２、４２は、軸方向から見た形状が四角形（正方形）状の柱状体であり、筒状部３１、４１の孔部内をガタツキなく且つ円滑に移動可能な外径寸法の挿入部３２ａ、４２ａと、一方端が挿入部３２ａ、４２ａと連結され、他方端が引き掛け部２２と連結された支持部３２ｂ、４２ｂとで構成されており、筒状部３１、４１の孔部３１ａ、４１ａの開口端からその一部若しくは大部分を露出するかたちで出入りさせることが可能となっている。そして、コイルバネ３３、４３は、筒状部３１、４１の孔部３１ａ、４１ａ内に収納されたもので、螺旋状に巻回された形状をなしていると共に、一方端は筒状部３１，４１の孔部３１ａ、４１ａの底面に連結され、他方端は引き掛け部２２の挿入側面に連結されて、引き掛け部２２に対しこの引き掛け部２２が筒状部３１、４１の孔部３１ａ、４１ａ内に入る方向に付勢している。
【００２５】
台座５は、引き掛け機構２をそれぞれ備えたアーム部３、４を支持すると共に共用操作棒３００の連結部と連結する連結部６の取り付け位置を確保するためのもので、この実施形態では、横倒しの状態（架線２００と略平行な状態）となる平板状の基台５１と、基台５１の側方から下方に延びた後に途中から上方に延びる、断面が略Ｖ字状の延出部５２と、基台５１の長手方向の両側に配された補強部５３とで構成されている。
【００２６】
連結部６は、ジョイント金具とも称されるもので、共用操作棒３００の連結部たるアタッチメント本体と連結するためのものである。絶縁カバー開閉装置１は、この連結部６を有することにより、間接活線工具の先端工具として機能する。
【００２７】
そして、この実施形態では、絶縁カバー１００のホック部１０２を外すため突出片７、８は、台座５の延出部５２の延出方向先端に設けられている。突出片７、８の台座５の延出部５２に設けられた位置は、図２に示されるように、アーム部３、４が鉛直方向に沿った配置となったときに、引き掛け機構２の連結部２３の下になっている。より正確には、突出片７、８の爪の先端が、下記する絶縁カバー１００のホック部１０２の合せ目の真下になるように配置されている。
【００２８】
ここで、突出片７と突出片８とは、各種絶縁カバー１００のホック部１０２を取り外すために最も好適な間隔にて台座５の延出部５２に固定されても良いが、絶縁カバー１００のホック部１０２の位置や、複数のホック部１０２、１０２の間隔に応じて、台座５の延出部５２の縁片に沿ってスライドすることができるようにしても良い。これにより、各種絶縁カバー１００のホック部１０２、１０２同士の間隔や配置がバラバラでも絶縁カバー開閉装置１を用いることができる。また、各突出片７、８は、アーム部３、４が鉛直方向に沿った配置となったときに、鉛直方向の上方に延出するかたちで固定されても良いが、図２に示されるように、台座５の延出部５２側の部位を回転中心として回転可能とすると共にギアの歯が噛み合う等により鉛直方向の上方を向いた位置や水平方向を向いた位置等の所望の位置で固定された状態となるようにしても良い。これにより、絶縁カバー１００を架線２００に取り付けたり、絶縁カバー１００を架線２００から取り外したりするときに、突出片７、８が邪魔になる場合に突出片７、８を横倒しの状態にすることが可能である。
【００２９】
突出片７、８の各先端部９は、２股に分かれ、分かれた部位は先端に進むに従って肉厚が薄くなるように傾斜することで形成された爪を有しており、絶縁カバー１００のホック部１０２を構成する雄型ホックと雌型ホックとの間に差し込むことができるようになっている。また、先端部９の分かれた部位の間隔は、雄型ホックの雌型ホックに挿入される突出部より若干大きくなっており、爪を絶縁カバー１００のホック部１０２を構成する雄型ホックと雌型ホックとの間に差し込んだ際に、雌型ホックの突出部に当たらないようになっている。
【００３０】
このような構成の絶縁カバー開閉装置１を用いて、絶縁カバー１００を架線２００等に取り付け、又は架線２００等から絶縁カバー１００を取り外す作業の一例について、以下に概説する。
【００３１】
絶縁カバー１００を架線２００等に取り付ける作業では、まず、連結部２３に共用操作棒３００の連結部を装着した状態としつつ、２つの引き掛け機構２の引き掛け部２１と引き掛け部２２とで、下方がホック部１０２で閉じられておらず開いた状態の絶縁カバー１００の上部を、構成部材１００ａ、１００ｂの両外側から挟んで絶縁カバー１００を引き掛ける。このとき、引き掛け部２１と引き掛け部２２とは、コイルバネ２４で引き掛け部２１が引き掛け部２２側に閉じる方向に付勢されているので、絶縁カバー１００の上部を強固に挟むことができる。そして、絶縁カバー１００に対し２箇所で引き掛け部２１と引き掛け部２２による絶縁カバー１００の上部の挟持が行われるので、図４に示されるように、絶縁カバー１００が長手方向の中央において側方に突出した突出部１０３を有する引下線用コネクタカバーであっても、この突出部１０３を避けるかたちで、引き掛け部２２を絶縁カバー１００に引き掛けることが可能である。また、図５に示されるように、絶縁カバー１００がスリーブカバーであって、２つのホック部１０２間の中心がスリーブカバーの長手方向の中心からずれている場合でも、安定した状態で、引き掛け部２２を絶縁カバー１００に引き掛けることが可能である。尚、このとき、アーム部３、４は、出入部３２、４２を筒状部３１、４１から進出させてその全長を相対的に大きくすることで、突出片７、８が邪魔にならないようにしたり、突出片７、８を水平となるように揺動して、突出片７、８が邪魔にならないようにしたりしても良い。
【００３２】
次に、共用操作棒３００のハンドル部を持って、絶縁カバー１００が引き掛けられた絶縁カバー開閉装置１を架線２００の上方まで移動させ、絶縁カバー１００の下側の開いた部位が架線２００の上になるように調整した後、絶縁カバー１００を架線２００に乗せる。このとき、絶縁カバー開閉装置１の突出片７、８が真上又は斜め上方を向いた状態として、双方の先端部９が絶縁カバー１００の構成部材１００ｂの下方に接するようにしても良い。これにより、絶縁カバー１００は、引き掛け機構２で引き掛けられるだけでなく、突出片７、８によって下方からも支持されるので、絶縁カバー１００が引き掛けられた絶縁カバー開閉装置１を架線２００の上方まで移動させる際に、絶縁カバー１００が絶縁カバー開閉装置１から外れて落下するおそれをより小さくすることができる。
【００３３】
さらに、共用操作棒３００のハンドル部を持って共用操作棒３００を引き下げる。これにより、架線２００に乗ることで位置決めされた状態の絶縁カバー１００に対し、引き掛け機構２の引き掛け部２１、２２が絶縁カバー１００の構成部材１００ａ、１００ｂの双方を外側且つ上方から押すので、構成部材１００ａと１００ｂとの間が閉じられて、絶縁カバー１００としても架線２００を収容したかたちで閉じられる。最後に、絶縁ヤットコ等の間接活線工具で、絶縁カバー１００のホック部１０２の雄型ホックと雌型ホックとを係合させることで、絶縁カバー１００が閉じた状態が固定される。
【００３４】
絶縁カバー１００を架線２００等から取り外す作業では、まず、連結部２３に共用操作棒３００の連結部を装着した状態としつつ、２つの引き掛け機構２の引き掛け部２１と引き掛け部２２とで、下方がホック部１０２により閉じられた状態の絶縁カバー１００の上部を、構成部材１００ａ、１００ｂの両外側から挟んで絶縁カバー１００を引き掛ける。このとき、アーム部３、４は、後の伸長代を確保するために、出入部３２、４２は筒状部３１、４１内にその大部分が収納されて収縮された状態であると共に、突出片７、８は先端部９が絶縁カバー１００に当たるのを回避するために水平状態になっている。この場合でも、コイルバネ２４の付勢力を利用して、引き掛け機構２の引き掛け部２１と引き掛け部２２とで、絶縁カバー１００の上部を強固に挟むことができると共に、絶縁カバー１００が図４の引下線用コネクタカバーの場合には突出部１０１を避け、絶縁カバー１００が図５のスリーブカバーの場合にはホック部１０２、１０２間の中心がスリーブカバーの長手方向の中心からずれていても安定した状態で、絶縁カバー１００の上部に絶縁カバー開閉装置１を引き掛けることができる。
【００３５】
次に、絶縁カバー１００が架線２００等に取り付けられ、且つ絶縁カバー開閉装置１が絶縁カバー１００に引き掛けられた状態で、共用操作棒３００のハンドル部を持って引き下げる。これにより、アーム部３、４は、コイルバネ３３、４３が延びて、出入部３２、４２が筒状部３１、４１から進出するので、これに共にアーム部３、４の全長が相対的に大きくなり、アーム部３、４の筒状部３１、４１が取り付けられた台座５の位置が下方（架線２００から離れる方向）に変位する。すなわち、台座５の延出部５２に設けられた突出片７、８は、先端部９が鉛直方向の上方に向けて立っていても、先端部９が絶縁カバー１００のホック部１０２に当たらない状態となるかたちで、絶縁カバー１００のホック部１０２よりも下方に位置する。
【００３６】
さらに、突出片７、８について、先端部９が鉛直方向の上方に向けて立った状態に起こした後、突出片７、８の先端部９を絶縁カバー１００のホック部１０２の間に差し込み、ホック部１０２の雄型ホックと雌型ホックとを外す。
【００３７】
最後に、引き掛け機構２の引き掛け部２１に、ホック部１０２が外れた状態の絶縁カバー１００のうちのアーム部３、４がある側とは反対側、すなわち外側にある構成部材１００ａを引き掛けると共に、突出片７、８と引き掛け部２２とで構成部材１００ｂを把持した状態とした後、コイルバネ２４の付勢力による引き掛け部２１の押力を利用して構成部材１００ａの拡がりを押さえつつ、絶縁カバー開閉装置１を横に移動させる。これにより、絶縁カバー１００は、構成部材１００ａは架線２００に当たって構成部材１００ｂと一緒に横方向に変位しないため、構成部材１００ａの下側が構成部材１００ｂの下側から離れる方向に、構成部材１００ａが開いていくので、絶縁カバー１００の下方を開いた状態とし、絶縁カバー１００を架線２００等から取り外すことができる。
【符号の説明】
【００３８】
１  絶縁カバー開閉装置
２  引き掛け機構
２１  引き掛け部（第２の引き掛け部）
２２  引き掛け部（第１の引き掛け部）
２３  連結部
２４  コイルバネ（弾性体）
３  アーム
３１  筒状部
３２  出入部
３３  コイルバネ
４  アーム
４１  筒状部
４２  出入部
４３  コイルバネ
５  台座
６  連結部
７  突出片
８  突出片
９  先端部
１００  絶縁カバー
１０１  突出部
１０２  ホック部（連結手段）
１０３  ヒンジ部
２００  架線
３００  共用操作棒（間接活線工具）
【要約】
【課題】架線に装着される多種類の絶縁カバーに対応可能で、安定した状態で絶縁カバーを挟持して絶縁カバーの開閉操作を簡易に行うことができる絶縁カバー開閉装置を提供する。
【解決手段】絶縁カバー開閉装置１は、引き掛け機構２を備えたアーム部３、４と、アーム部３、４が設置される台座５と、共用操作棒と連結するための連結部６と、絶縁カバーのホック部を外すための先端部９を有する突出片７、８とで構成され、各引き掛け機構２は、不動の引き掛け部２２と引き掛け部２２に向けて付勢された引き掛け部２１とを有する。アーム部３、４は、台座５に固定された筒状部３１、４１と、筒状部３１、４１から出入りし且つ引き掛け部２２と連接された出入部４２とを有する。これにより、絶縁カバーが引下線用コネクタカバーであっても、絶縁カバーの開閉操作時に前記コネクタカバーの突出部を避けて引き掛け部を上部に引き掛けることが可能である。
【選択図】図１【図１】
0005567169.tif 000002
【図２】
0005567169.tif 000003
【図３】
0005567169.tif 000004
【図４】
0005567169.tif 000005
【図５】
0005567169.tif 000006